(57)【要約】【課題】原水の供給源となる河川、湖、用水路、貯水池等が被災地近辺に存在しなくても規定の消火栓からの原水を利用することにより飲料水を容易に確保でき、かつ広い保管場所を必要としないコンパクトで持ち運びが容易な、浄化機能を備えた浄水用キャリングボックスを提供する。【解決手段】浄水用キャリングボックス１は、ボックス本体２と、ボックス本体２を開閉する開閉蓋３とを備えており、ボックス本体２は、消火栓Ｆからの原水Ｈをろ過する浄水カートリッジ３４と、使用時に消火栓Ｆに着脱自在に接続されて浄水カートリッジ３４に原水Ｈを供給するカプラ装置７０とを収納し、ボックス本体２に、開閉弁を有し浄水カートリッジ３４に接続される給水栓２５が装着され、カプラ装置７０がボックス本体２に着脱自在に設定され、ボックス本体２内に、ボックス本体２から離脱した状態のカプラ装置７０が収納される収納部５９が形成されている。【選択図】図２
2008055377.tif 000002
【特許請求の範囲】
【請求項１】
規定の消火栓からの原水を浄化する機能を備えた浄水用キャリングボックスであって、
ボックス本体と、前記ボックス本体を開閉する開閉蓋とを備え、
前記ボックス本体は、前記消火栓からの原水を濾過する浄水カートリッジと、使用時に前記消火栓に着脱自在に接続されて前記浄水カートリッジに前記原水を供給するカプラ装置とを収納し、
前記ボックス本体に、開閉弁を有し前記浄水カートリッジに接続される給水栓が装着され、
前記カプラ装置が前記ボックス本体に着脱自在に設定され、
前記ボックス本体内に、ボックス本体から離脱した状態の前記カプラ装置が収納されるカプラ装置収納部が形成されたキャリングボックス。
【請求項２】
請求項１において、前記ボックス本体には、１つ以上の前記給水栓が取り付けられてボックス本体の頂部を覆う取外し可能な上部ブロックが装着されており、前記上部ブロックに前記浄水カートリッジの出口と前記給水栓とを連通して前記浄水カートリッジの出口からの浄水を前記給水栓に導く浄水通路が形成されたキャリングボックス。
【請求項３】
請求項１または２において、前記ボックス本体の下部に、前記カプラ装置と前記浄水カートリッジの入口とを接続する下部ブロックが装着され、前記下部ブロックに、前記浄水カートリッジへ供給される原水の圧力が一定値以上となったときに、原水を外部へ放出するリリーフ弁が設けられているキャリングボックス。
【請求項４】
請求項１から３のいずれか一項において、前記ボックス本体の1対の側壁のうちの少なくとも片方の内面側に、前記給水栓からの浄水を注ぐコップを置くコップ台が形成されたキャリングボックス。
【請求項５】
請求項４において、前記コップを収納するコップ収納部が、前記ボックス本体の背面壁の内面側に形成されたキャリングボックス。
【請求項６】
請求項１から５のいずれか一項において、前記開閉蓋に取手を設けたキャリングボックス。
【請求項７】
請求項１から６のいずれか一項において、前記カプラ装置は、前記原水の流量を所定値以下に調節する流量調節器を有している浄水用キャリングボックス。
【発明の詳細な説明】
【技術分野】
【０００１】
本発明は、地震や火災のような災害の発生に起因する上水道の破壊・寸断という緊急時に、規定の消火栓からの原水（消火用水）を浄化して飲料用水とすることができる機能を備えた浄水用キャリングボックスに関する。
【背景技術】
【０００２】
地震や、大規模火災といった災害時には上水道が破壊・寸断されてしまい、被災地の住人は救援が来るまでの間十分な飲料水を確保できない可能性がある。そのような非常事態を想定して、従来、河川、湖、用水路、貯水池、貯水槽等の水源を飲料用水として利用する浄水設備が提案されている。この浄水設備は、例えば、内燃機関のような駆動機と、この駆動機により駆動するポンプと、ポンプにより汲み上げられた水を浄化するろ過装置とを備えている。この浄水設備では、河川や湖のような豊富な水量を保つ水源の中に前記ポンプに接続されたホース先端を取水口として沈め、ポンプの揚水作用によって河川や湖の水を汲み上げ、汲み上げた水をろ過装置でろ過したものを非常用の飲料用水として利用できるようになっている。なお、貯水槽をろ過する装置は、例えば特許文献１に記載されている。
【特許文献１】特開２００６−４３５０７
【発明の開示】
【発明が解決しようとする課題】
【０００３】
ところが、前記浄水設備の場合、浄水設備が比較的嵩高い複数の装置類の結合からなるので設備全体として大型で高価なものになる。
【０００４】
そこで、本発明は、前記課題に鑑みて、原水の供給源となる河川、湖、用水路、貯水池等が被災地近辺に存在しなくても規定の消火栓からの原水を利用することにより飲料水を容易に確保でき、かつ広い保管場所を必要としないコンパクトで持ち運びが容易な、浄化機能を備えた浄水用キャリングボックスを提供することを目的とする。
【課題を解決するための手段】
【０００５】
前記目的を達成するために、本発明にかかる浄水用キャリングボックスは、規定の消火栓からの原水を浄化する機能を備えた浄水用キャリングボックスであって、ボックス本体と、前記ボックス本体を開閉する開閉蓋とを備えており、前記ボックス本体は、消火栓からの原水をろ過する浄水カートリッジと、使用時に前記消火栓に着脱自在に接続されて前記浄水カートリッジに前記原水を供給するカプラ装置とを収納し、前記ボックス本体に、開閉弁を有し前記浄水カートリッジに接続される給水栓が装着され、前記カプラ装置が前記ボックス本体に着脱自在に設定され、前記ボックス本体内に、ボックス本体から離脱した状態の前記カプラ装置が収納される収納部が形成されている。
【０００６】
上記構成では、原水の供給源として、工業用水道からの原水を引水する規定の消火栓を利用する。規定の消火栓にカプラ装置を接続するだけで浄水器を設置でき、消火栓からの原水を安定した水源として容易に利用できる。また、消火栓からの原水は工業用水または水道水であり、消火用水の性質上、長く使用されていないために汚れはあっても元々一定の水質レベルを保持しているので、浄水カートリッジのろ過材のろ過により飲用に適した良質なろ過水を大量に生成することができる。また、水源とする規定の消火栓からの原水は一定以上の圧力を保有し、この原水の圧力を利用する浄水器であるから、従来のような特別の駆動機（動力源）が不要となるので、コンパクトで安価になり、非常時に備えた保管にも有利となる。
災害時には、前記ボックス本体を開閉する開閉蓋を開け、カプラ装置を取り出して付近の消火栓に接続すると共にボックス本体に装着すると、消火栓から一定の圧力を有する原水がカプラ装置を介して浄水カートリッジに供給され、この浄水カートリッジによって浄化されたろ過水が、給水栓の開栓により、被災者に提供可能となる。
また、カプラ装置は、保管時には前記ボックス本体から離脱した状態で、前記ボックス本体内に形成されたカプラ収納部に収納され、浄水カートリッジもボックス本体内に収納されるので、浄水用キャリングボックスをコンパクトで持ち運びが容易なものとすることができる。このように、本発明の浄水用キャリングボックスはコンパクトで持ち運びが容易なため、例えば、被災地に真っ先に駆けつけ、消火活動に消火栓を利用する消防車に搭載されるのに適している。
【０００７】
本発明の好ましい実施形態では、前記ボックス本体は、１本以上の前記給水栓が取り付けられてボックス本体の頂壁となる取外し可能な上部ブロックを有しており、この上部ブロックに、前記浄水カートリッジの出口と前記給水栓とを連通して浄水カートリッジの出口からの浄水を給水栓に導く浄水通路が形成されている。
【０００８】
この構成によれば、前記上部ブロックはボックス本体から取外し可能なので、前記上部ブロックを消毒液に浸けるだけで上部ブロック内部に形成された浄水通路を清浄化することができる。
【０００９】
本発明の好ましい実施形態では、前記ボックス本体の下部に、カプラ装置と浄水カートリッジの入口とを接続する下部ブロックが装着され、この下部ブロックに、浄水カートリッジへ供給される原水の圧力が一定値以上となったときに、原水を外部へ放出するリリーフ弁が設けられている。
【００１０】
この構成によれば、浄水カートリッジが目詰まりして、カートリッジへ供給される原水の圧力が一定値以上となった場合に、原水がリリーフ弁からキャリングボックスの外部へ放出されるので、浄水カートリッジに過大な圧力がかかるのを防止できる。
【００１１】
本発明の好ましい実施形態では、前記ボックス本体の一対の側壁のうちの少なくとも片方の内面側に、前記給水栓からの浄水を注ぐコップを置くコップ台が形成されている。
【００１２】
この構成によれば、前記ボックス本体の一対の側壁は風防として作用するので、前記側壁の内面側に形成されたコップ台に、例えば軽量の紙製コップを置いても前記給水栓から浄水を注いでいる間に風によって吹き倒されるのを抑制できる。
【００１３】
本発明のさらに好ましい実施形態では、コップを収納するコップ収納部が、前記ボックス本体の背面壁の内面側に形成されている。
【００１４】
この構成によれば、浄水用キャリングボックスの内部に予めコップを収納できるので、緊急時にコップを別途用意する必要はない。
【００１５】
本発明のさらに好ましい実施形態では、前記カプラ装置は、原水の流量を所定値以下に調節する流量調節器を有している。
【００１６】
この構成によれば、流量調節器により、消防上の観点から高水圧となっている原水の流量を所定値以下に調節しているので、高い圧力の原水が浄水カートリッジを通過することなく、高水圧によって生じる浄水カートリッジの破損を防止できる。
【発明の効果】
【００１７】
本発明の浄水用キャリングボックスは、原水の供給源として、工業用水道からの原水を引水する規定の消火栓を利用するので、消火栓にカプラ装置を接続するだけで浄水器を設置でき、消火栓からの原水を安定した水源として容易に利用できる。また、水源とする規定の消火栓からの原水は一定以上の圧力を保有し、この原水の圧力を利用する浄水器であるから、従来のような特別の駆動機（動力源）が不要となるので、コンパクトで安価になり、非常時に備えた保管にも有利となる。
また、カプラ装置は、保管時には前記ボックス本体から離脱した状態で、前記ボックス本体内に形成されたカプラ収納部に収納され、浄水カートリッジもボックス本体内に収納されるので、浄水用キャリングボックスを持ち運びが容易なものとすることができる。
【発明を実施するための最良の形態】
【００１８】
以下、本発明の実施形態を図面にしたがって説明する。図１に示すように、本発明に係る浄水用キャリングボックス１は、ボックス本体２とこのボックス本体２を開閉する開閉蓋３とを有している。これらボックス本体２および開閉蓋３は鋼板のような板材により形成されている。開閉蓋３は蓋正面壁４、左右一対の蓋側壁５、蓋頂壁６および蓋上部背面壁７を有している。図２は、ボックス本体２の説明の便宜上、開閉蓋３をボックス本体２から取り外した状態を示すボックス本体２の斜視図である。ボックス本体２は左右一対の側壁８、底壁９および背面壁１０を有している。ボックス本体２の左右一対の側壁８の前縁Ｌ１と、図１に示す開閉蓋３の左右一対の蓋側壁５の後縁Ｌ２とは、開閉蓋３を閉じたときにボックス本体２と開閉蓋３の間に隙間が形成されないように定められている。
【００１９】
図２のボックス本体２の底壁９における左右一対の側壁８よりも前方に突出した突出部９ａには、幅方向に延びた細長の係止孔９ｂが形成されている。一方、図３に示すように、開閉蓋３の正面壁４の内面側における下縁には、横断面Ｕ字形の係止片４ａが設けられている。この係止片４ａをボックス本体２の係止孔９ｂにボックス本体２の下方から引っかけて係止することにより、開閉蓋３をボックス本体２に対して回動自在、つまり開閉自在に連結している。
【００２０】
図２のボックス本体２の左右の側壁８の上縁には、取付片１２が折り曲げ形成されており、各取付片１２の下面に一対の溶接ナット１３が固着されている。ボックス本体２の頂部は、２本の給水栓２５が装着された上部ブロック２０によって覆われている。上部ブロック２０の四隅には挿通孔２３が穿設されており、上部ブロック取付用ねじ体１４を４つの挿通孔２３に挿通して、左右一対の取付片１２の溶接ナット１３にねじ込むことにより、上部ブロック２０がボックス本体２に固定される。上部ブロック２０については後で図６を参照して詳述する。
【００２１】
図３に示す開閉蓋３の蓋正面壁４の上部には、開口３ａが形成されており、この開口３ａに例えば凹所を形成するゴム製の取手３ｂが装着されている。浄水キャリングボックス１の操作者は、指を取手３ｂ内に入れて、浄水キャリングボックス１を持ち運んだり、開閉蓋３を開閉したりできる。図１に示すように、開閉蓋３の蓋上部背面壁７の下縁略中央には、開閉蓋３の外方に突出する係止突片７ａが設けられており、この係止突片７ａには係止孔７ｂが形成されている。一方、図２の上部ブロック２０における２つの給水栓２５，２５の間には凹部２１が形成されており、この凹部２１にねじ孔２２が形成されている。図３の蓋取付用ねじ体７ｃを、開閉蓋３の係止突片７ａに形成された係止孔７ｂに挿通して、上部ブロック２０のねじ孔２２にねじ込むことにより、開閉蓋３は、その上部が上部ブロック２０に固定されて、ボックス本体２に対して閉状態に維持される。
【００２２】
図４は、開閉蓋３を取り外した状態のボックス本体２を示す前方斜視図である。ボックス本体２の左右一対の側壁８には、下部ブロック４０が、底壁９から所定の間隔を空け両側面４３と後面４６がそれぞれ左右の側壁８と背面壁１０に接触した状態で取り付けられている。下部ブロック４０の両側面４３のそれぞれには図７に示すように一対のねじ孔４３ａが形成されており、この一対のねじ孔４３ａに対応して図１のボックス本体２の各側壁８に一対の挿通孔１１が形成されている。下部ブロック取付用ねじ体１５を挿通孔１１に挿入して、ねじ孔４３ａ（図７）にねじ込むことにより、下部ブロック４０がボックス本体２に固定される。下部ブロック４０については後で図７を参照して詳述する。
【００２３】
また、図４の下部ブロック４０の前方でボックス本体２の各側壁８の内面側には、給水栓からの浄水を注ぐコップ５８を置く左右一対のコップ台５０が設けられている。各コップ台５０は金属の板材を曲げ加工したものであり、コップが載置される受部５１と、受部５１におけるボックス本体２の側壁８と接触する側縁とは反対側の側縁に一体形成されて上方に延びる規制部５２とを含む。コップ台５０は、図３に示すように、下部ブロック４０の底面に重合される取付片５０ａを有し、この取付片５０ａが下部ブロック４０の底面にねじ体５０ｂにより固定されている。例えば、図４に２点鎖線で示す紙コップ５８をコップ台５０に置き、給水栓２５から浄水をコップ５８に注ぐとき、ボックス本体２の側壁８が風防の役割を果たすので、コップ５８が風により吹き倒されるのを防止できる。
【００２４】
次に、浄水カートリッジ３４、カプラ装置７０およびコップ５８の浄水キャリングボックス１におけるそれぞれの収納部５５，５７および５９を、図４を参照して説明する。また、図５は、浄水カートリッジ３４、カプラ装置７０およびコップ５８の収納状態を示す浄水用キャリングボックス１の前方斜視図である。
【００２５】
まず、図４のコップを収納するコップ収納部５５について説明する。ボックス本体２の背面壁１０の内面側の空間、詳細には、ボックス本体２の左右一対の側壁８および背面壁１０と、上部ブロック２０と、下部ブロック４０とで囲まれた空間を、コップ５８を収納するコップ収納部５５としている。このコップ収納部５５には、図５に示すように、例えば２５個を重ねたコップセット５８Ａ，５８Ｂを２つ、合計５０個の市販品の紙コップ５８が収納される。
【００２６】
次に、図４の浄水カートリッジ３４を収納する浄水カートリッジ収納部５７について説明する。左右一対のコップ台５０は、給水栓からの浄水を注ぐコップを置くために設けられているが、浄水用キャリングボックス１の保管時には、図５に示すように、各コップ台５０に、紙箱からなる保管用ケース３４Ａに入れられている浄水カートリッジが１本ずつ載置される。つまり、２つのコップ台５０とボックス本体２の各側壁８とで囲まれ、コップ収納部５５の前方に位置する空間を、２本の保管用ケース３４Ａを収納する浄水カートリッジ収納部５７としている。
【００２７】
さらに、ボックス本体２から離脱した状態のカプラ装置７０を収納するカプラ収納部５９について説明する。カプラ装置７０は、図８に示すように、使用時に消火栓Ｆの消火用ホース接続端部ｆ１に接続されるカプラ７１、カプラ７１に接続されて消火栓Ｆからの原水の流量を所定値以下に調節する流量調節器７３、下部ブロック４０の後面側に設けられたカプラ接続部４８（図３）に接続されるコネクタ７５、および流量調節器７３とコネクタ７５とを連結して原水を通す伸縮自在なチューブ７７を備えている。チューブ７７の上流端部は接続体７４を介して流量調節器７３に接続されている。チューブ７７の下流端部は接続体７６を介してコネクタ７５に接続されている。図４のカプラ収納部５９は、ボックス本体２の一対の側壁８および底壁９と左右一対のコップ台５０とで囲まれる空間５９ａと、左右のコップ台５０の規制部５２，５２間の空間を含む、左右の浄水カートリッジ収納部５７，５７間の空間５９ｂとからなる。空間５９に、図５に示すように、カプラ装置７０が収納される。なお、消火栓のホース接続端部の口径は全国一律で規定されているわけではなく、通常６５ｍｍ、５０ｍｍ、４０ｍｍの３種類あり、採用される口径は市町村毎に異なる。したがって、消火栓Ｆのホース接続端部ｆ１に接続されるカプラ７１の口径もそれに応じて変更される。
【００２８】
次に、上部ブロック２０および下部ブロック４０の詳細について説明する。図６は上部ブロック２０の斜視図である。上部ブロック２０は火災現場での使用に耐え得るように耐熱樹脂製とされ、その前面２８に左右一対の給水栓取付口２４が形成されており、この給水栓取付口２４のそれぞれに給水栓２５の取付パイプ２５ａが螺合して、給水栓２５が上部ブロック２０に固定される。一方、上部ブロック２０の底面３１には、所定の間隔を空けて形成された左右一対の出口側接続孔２６が形成されている。後述するように、使用時には、各出口側接続孔２６に、浄水カートリッジ３４の先端側から突出しているろ過水出口部３５が差し込まれる。
【００２９】
上部ブロック２０の内部には、給水栓取付口２４と出口側接続孔２６とを連通する浄水通路２７が機械加工により形成されている。この浄水通路２７は、出口側接続孔２６よりも小径とされ給水栓取付口２４から上部ブロック２０の後面３０に向かってほぼ水平に所定距離だけ延びる水平通路部２７ａと、この水平通路部２７ａから上部ブロック２０の底面３１に向かってほぼ垂直に所定距離だけ延びて出口側接続孔２６に達する垂直通路部２７ｂとからなる略Ｌ字状の通路である。上部ブロック２０はねじ１４体（図１）を外すとボックス本体２から取り外すことができるため、上部ブロック２０を消毒液に漬けるだけでブロック内部に形成された浄水通路２７を清浄化できる。
【００３０】
上部ブロック２０の出口側接続孔２６に差し込まれる、浄水カートリッジ３４のろ過水出口部３５には、Ｏ−リング３６が嵌め込まれている。このＯ−リング３６により、浄水カートリッジ３４のろ過水出口部３５は上部ブロック２０の出口側接続孔２６に液密に取り付けられる。
【００３１】
図７（ａ）は下部ブロック４０の斜視図である。下部ブロック４０はその頂面４１に所定の間隔を空けた左右一対の入口側接続孔４２が形成されていると共に、その後面４６に凹部４６ａが形成されている。凹部４６ａは、後面４６の左右方向略中央に下部ブロックの頂面４１から底面４４にかけて凹設されている。凹部４６ａには、図８のカプラ装置７０のコネクタ７５が接続されるカプラ接続部４８が外方（後方）に突出した形で設けられている。カプラ接続部４８は先端がボックス本体２の背面壁１０とほぼ面一になるように設けられている（図３参照）。
【００３２】
下部ブロック４０の内部には、入口側接続孔４２とカプラ接続部４８とを連通する原水通路４７が機械加工により形成されている。原水通路４７は、入口側接続孔４２よりも小径とされ各入口側接続孔４２から底面４４に向かって所定距離だけ下方に延びる左右一対の垂直通路部４７ａ、凹部４６ａに開口し下部ブロック４０の前面４５に向かって水平に延びる第１水平通路部４７ｂ、および下部ブロック４０の両側面４３間で水平に延びて左右一対の垂直通路部４７ａと第１水平通路部４７ｂとを連通する第２水平通路部４７ｃからなる。前記第１水平通路部４７ｂの開口部に前記カプラ接続部４８がねじ込まれて固定されている。下部ブロック４０は、上部ブロック２０と同様に、耐熱樹脂製である。
【００３３】
下部ブロック４０の入口側接続孔４２に差し込まれる、浄水カートリッジ３４の原水入口部３７には、この溝にＯ−リング３８が嵌め込まれている。このＯ−リング３８により、浄水カートリッジ３４の原水入口部３７は下部ブロック４０の入口側接続孔４２に液密に取り付けられる。
【００３４】
さらに、下部ブロック４０に形成された第２水平通路部４７ｃは、その一端が下部ブロック４０の両側面４３のうちの一方の側面（図７（ａ）では左側の側面）に延出されて、その延出端部にリリーフ弁６０が設けられている。リリーフ弁６０は、図７（ａ）のＶII−ＶII線に沿った要部の断面図である図７（ｂ）に示すように、下部ブロック４０の側面４３に形成されて第２水平通路部４７ｃの延出端部に連通する弁室６１、この弁室６１に収納された弁体６２、原水放出用のリリーフ孔６３を有し弁室６１を閉止する蓋６４、および蓋６４と弁体６２との間に介挿されて弁体６２を弁口６５に押圧することにより閉弁させるばね体６６を備える。浄水カートリッジ３４が目詰まりして、原水通路４７を通って浄水カートリッジ３４に導入される原水の圧力が一定値（例えば５気圧）以上となったとき、弁体６２がばね体６６のばね力に抗して外側方へ移動し、弁口６５を開放する。これにより、リリーフ弁６０が開弁し、原水を第２水平通路部４７ｃからボックス本体２の外部に放出する。したがって、浄水カートリッジ３４が目詰まりした場合でも、浄水カートリッジ３４に過大な圧力がかかるのを防止できる。
なお、図１および図２に示すボックス本体２の側壁８における一対のねじ挿通孔１１間には、リリーフ弁６０のリリーフ孔６３（図７（ｂ））と合致するように貫通孔１６が形成されており、リリーフ弁６０から放出された原水は前記貫通孔１６を通ってボックス本体２の外部へ放出される。
【００３５】
図３に示すように、浄水カートリッジ３４は円筒ケース３４ａを有しており、この円筒ケース３４ａ内に原水を浄化するためのろ過材が収納されている。ろ過材の種類は特に限定されないが、原水入口部３７側には例えば活性炭を、ろ過水出口部３５側には例えば中空糸膜をそれぞれ配置する。消火栓Ｆ（図８）からの原水Ｈに含まれるさびや不純物を活性炭で吸着除去し、吸着除去できない不純物を中空糸膜で取り除く。
【００３６】
図８に示すように、原水栓７９は、接続端部７９ａが、図９に示す流量調節器７３の筒形ボディ８１入口部の内径面８１ａにねじ連結されて、流量調節器７３に接続されている。原水栓７９を開状態にすると、カプラ７１を介して消火栓Ｆの接続端部ｆ１から高水圧の原水が流量調節器７３に流入する。
【００３７】
流量調節器７３は、例えば、フローワッシャーを使用するワッシャー式定流量弁であり、図９に示すように、金属製の筒形ボディ８１と、このボディ８１の長手方向略中央に内径面８１ａに沿って一体に形成された環状の支持突起８４と、このボディ８１の内径面８１ａに嵌合され支持突起８４に下流側端部８３ａを支持された、ゴム製のフローワッシャー８３とを有する。フローワッシャー８３は、その中央孔８３ｂが上流側から下流側に向かって内径が大きくなるテーパ面とされており、原水Ｈが中央孔８３ｂを通過するとき、動圧を受けて２点鎖線で示すように変形して通路を狭くすることにより流量を絞り、これによって、原水Hの流量を浄水カートリッジ３４内のろ過材を傷めないように所定値（例えば３リットル／分）以下に調節する。
【００３８】
消火栓Ｆからの原水Ｈは消防上の観点から高水圧となっているが、流量調節器７３により原水Ｈの流量を所定値以下に調節しているので、高い圧力の原水Ｈが浄水カートリッジ３４を通過することなく、高水圧によって生じる浄水カートリッジ３４の破損を防止できる。
【００３９】
次に、災害時に浄水用キャリングボックス１を使用して浄水を得る手順を説明する。まず、図１の浄水用キャリングボックス１のねじ体７ｃ（図３）を外して、開閉蓋３の上部とボックス本体２との固定を解き、取手３ｂに指をかけて開閉蓋３を開け、図５のコップ収納部５５、カートリッジ収納部５７およびカプラ収納部５９からそれぞれコップセット５８Ａ，５８Ｂ、浄水カートリッジ保管用ケース３４Ａおよびカプラ装置７０を取り出す。次に、図１の上部ブロック２０の４本のねじ１４を外して、上部ブロック２０をボックス本体２から取り外した後、図７に矢印で示すように、２本の浄水カートリッジ３４の原水入口部３７を下部ブロック４０の各入口側接続孔４２に押し込んで、浄水カートリッジ３４を下部ブロック４０に装着する。次に、図６に矢印で示すように、上部ブロック２０をボックス本体２（図１）に載せて、その各出口側接続孔２６を、下部ブロック４０上で直立している浄水カートリッジ３４のろ過水出口部３５に嵌め込む。その後、図１のねじ体１４で上部ブロック２０をボックス本体２に再び固定する。
【００４０】
一方、図８のカプラ装置７０のカプラ７１を消火栓Ｆのホース接続端部ｆ１に接続すると共に、カプラ装置７０のコネクタ７５を図３に示すボックス本体２の下部ブロック４０のカプラ接続部４８に接続する。このようにして、浄水カートリッジ３４とカプラ装置７０を設定すると、図８の消火栓Ｆのホース接続端部ｆ１とボックス本体２に装着された給水栓２５との間に、カプラ７１、流量調節器７３、チューブ７７、コネクタ７５、図３の下部ブロック４０の原水通路４７、カートリッジ３４、上部ブロック２０の浄水通路２７を通る通路が形成され、浄水を得るための準備が完了する。
【００４１】
準備完了後、図８のカプラ装置７０の原水栓７９を開状態にすると、消火栓Ｆのホース接続端部ｆ１から高水圧の原水Ｈがカプラ７１を介して流量調節器７３に流入する。流量調節器７３により、所定値以下の流量まで調節された原水Ｈは、チューブ７７およびコネクタ７５を通って、図３に示すように、下部ブロック４０のカプラ接続口４８から下部ブロック４０内の原水通路４７に導入される。原水通路４７に入った原水Ｈは、浄水カートリッジ３４の原水入口部３７から浄水カートリッジ３４内に流入する。浄水カートリッジ３４でろ過された清浄なろ過水Ｃがろ過水出口部３５から上部ブロック２０内の浄水通路２７に流出する。給水栓２５を開状態にすると、ボックス本体２の側壁８の内面側に位置するコップ台５０に置かれたコップに浄水が注がれ、被災者に提供される。このとき、開閉蓋３は２点鎖線で示すように開放位置にある。
【００４２】
この浄水キャリングボックス１は、開閉蓋３を閉じた図１に示す状態で取手３ｂに指を掛けて持ち上げることにより、片手で容易に持ち運びできる。また、ほぼ立方体の形状であるから、広い保管場所を必要としない。
【図面の簡単な説明】
【００４３】
【図１】本発明の実施形態に係る浄水用キャリングボックスを示す斜視図である。
【図２】同浄水用キャリングボックスから開閉蓋を外した状態のボックス本体を示す斜視図である。
【図３】同浄水用キャリングボックスの縦断面図である。
【図４】同ボックス本体を示す前方斜視図である。
【図５】カプラ装置、浄水カートリッジおよびコップの収納状態を示すボックス本体の前方斜視図である。
【図６】同ボックス本体に取り付けられる上部ブロック、およびその内部に形成された浄水通路を示す斜視図である。
【図７】（ａ）は同ボックス本体に取り付けられる下部ブロック、およびその内部に形成された原水通路を示す斜視図、（ｂ）は原水通路に連通するリリーフ弁の拡大断面図である。
【図８】同浄水用キャリングボックス内に収納されたカプラ装置の使用状態を示す側面図である。
【図９】同カプラ装置の流量調節器を示す縦断面図である。
【符号の説明】
【００４４】
１：浄水用キャリングボックス
２：ボックス本体
３：開閉蓋
８：側壁
９：底壁
１０：背面壁
２０：上部ブロック
２５：給水栓
２７：浄水通路
３４：浄水カートリッジ
４０：下部ブロック
４７：原水通路
５０：コップ台
５５：コップ収納部
５７：カートリッジ収納部
５９：カプラ収納部
６０：リリーフ弁
７０：カプラ装置
７３：流量調節器
Ｆ：消火栓
ｆ１：ホース接続端部
【図１】
2008055377.tif 000003
【図２】
2008055377.tif 000004
【図３】
2008055377.tif 000005
【図４】
2008055377.tif 000006
【図５】
2008055377.tif 000007
【図６】
2008055377.tif 000008
【図７】
2008055377.tif 000009
【図８】
2008055377.tif 000010
【図９】
2008055377.tif 000011